【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
第１の電子装置を遠隔制御する方法であって、
前記第１の電子装置に関連する制御面の記述を取り出すステップを含み、
前記第１の電子装置に関連する制御面の記述を取り出すステップは、
前記第1の電子装置の識別子を取得するステップと、
前記識別子に応じてインターネットを介して遠隔サーバにアクセスするステップと、
前記遠隔サーバから制御面の記述を取り出すステップとを含み、前記方法は更に、
前記記述に基づいて、複数の制御要素を含む、画面上の前記制御面の少なくとも一部のグラフィック表現を描画するステップと、
前記第１の電子装置から離れたナビゲーション装置を使用して前記グラフィック表現をナビゲートするステップと、
前記ナビゲーション装置を使用して前記複数の制御要素のうちのある制御要素を選択するステップと、
前記選択した制御要素に基づいて前記第１の電子装置を動作させるステップと、
を含むことを特徴とする方法。
【請求項２】
前記画面が前記ナビゲーション装置上に位置する、
ことを特徴とする請求項１に記載の方法。
【請求項３】
前記画面がタッチ画面を備え、前記複数の制御要素のうちのある制御要素を選択するステップが、前記タッチ画面を適切な位置でタッチするステップを含む、
ことを特徴とする請求項２に記載の方法。
【請求項４】
前記画面が前記ナビゲーション装置から離れている、
ことを特徴とする請求項１に記載の方法。
【請求項５】
前記画面が、制御される側の前記電子装置上に位置する、
ことを特徴とする請求項１に記載の方法。
【請求項６】
前記ナビゲーション装置がタッチセンサ式パッドを含む、
ことを特徴とする請求項１に記載の方法。
【請求項７】
少なくとも１つの第２の電子装置に関連する少なくとも１つの第２の制御面の記述を取り出すステップと、
前記第１及び第２の電子装置のうちの１又はそれ以上の電子装置を選択するステップと、
前記選択した電子装置に関連する前記制御面の少なくとも一部のグラフィック表現を、前記制御面の取り出した記述に基づいて前記画面上に描画するステップと、
をさらに含むことを特徴とする請求項１に記載の方法。
【請求項８】
前記制御面の少なくとも一部のグラフィック表現を描画するステップが、前記制御面のウィンドウビューのグラフィック表現を描画するステップを含む、
ことを特徴とする請求項１に記載の方法。
【請求項９】
前記制御面のウィンドウビュー内に示される前記ウィンドウのサイズ及び位置の少なくとも一方を制御するステップをさらに含む、
ことを特徴とする請求項８に記載の方法。
【請求項１０】
前記制御面の少なくとも一部のグラフィック表現を描画するステップが、選択した動作モードに応じて選択された前記複数の制御要素の一部のグラフィック表現を描画するステップを含む、
ことを特徴とする請求項１に記載の方法。
【請求項１１】
前記第１の電子装置及び少なくとも１つの第２の電子装置に関する動作モードを選択するステップをさらに含み、前記複数の制御要素が、前記第１の電子装置及び前記少なくとも１つの第２の電子装置の前記制御要素の一部を含み、該制御要素の一部が前記選択した動作モードに適する、
ことを特徴とする請求項１０に記載の方法。
【請求項１２】
前記複数の制御要素のうちのある制御要素を選択するステップが、前記第１の電子装置及び前記少なくとも１つの第２の電子装置のうちの少なくとも一方の動作に影響する、
ことを特徴とする請求項１１に記載の方法。
【請求項１３】
前記制御面がリモコンハンドセットを含む、
ことを特徴とする請求項１に記載の方法。
【請求項１４】
前記制御面が制御パネルを含む、
ことを特徴とする請求項１に記載の方法。
【請求項１５】
ディスプレイ画面と、
制御対象電子装置の制御面の画像の記述を記憶するためのメモリと、
前記制御面の少なくとも一部の画像を描画するように構成されたグラフィックプロセッサと、
ユーザが前記描画された画像とやりとりして、前記制御対象電子装置の動作を制御できるようにすべく構成されたナビゲーションインターフェイスと、
前記ナビゲーション装置と前記制御対象装置との間の通信を可能にする無線インターフェイスと、
を備え、
前記無線インターフェイスは、インターネットを介してサーバから前記制御面の画像の記述を取り出すように動作することを特徴とする無線ナビゲーション装置。
【請求項１６】
前記ナビゲーションインターフェイスがタッチセンサ式パッドを含む、
ことを特徴とする請求項１５に記載の無線ナビゲーション装置。
【請求項１７】
前記無線インターフェイスが、前記制御面の画像の記述を前記制御対象装置から受信する、
ことを特徴とする請求項１５に記載の無線ナビゲーション装置。
【請求項１８】
前記制御面の画像が、遠隔画面上に表示された画像のウィンドウ部分に対応する、
ことを特徴とする請求項１５に記載の無線ナビゲーション装置。
【請求項１９】
ユーザが、遠隔画面上に表示された物理的制御面の複数の制御要素のグラフィック表現とやりとりすることにより、１又はそれ以上の遠隔電子装置の動作の制御を可能にするように構成されたナビゲーションインターフェイスと、
前記ナビゲーション装置と前記遠隔電子装置との間の通信のための無線インターフェイスと、
を備え、
前記複数の制御要素が、前記物理的制御面上の制御要素全体の一部であり、該一部が、選択した動作モードに応じて自動的に選択される、
ことを特徴とする無線ナビゲーション装置。
【請求項２０】
前記ナビゲーションインターフェイスがタッチセンサ式パッドを含む、
ことを特徴とする請求項１９に記載の無線ナビゲーション装置。
【請求項２１】
前記物理的制御面がリモコンハンドセットを含む、
ことを特徴とする請求項１９に記載の無線ナビゲーション装置。
【請求項２２】
前記物理的制御面が制御パネルを含む、
ことを特徴とする請求項１９に記載の無線ナビゲーション装置。
【請求項２３】
グラフィックで表現された制御要素の起動により複数のコマンドが送信され、少なくとも１つのコマンドが、前記遠隔電子装置の１又はそれ以上の各々へ送信され、前記コマンドが、前記選択した動作モードに応じて自動的に選択される、
ことを特徴とする請求項１９に記載の無線ナビゲーション装置。
【手続補正２】
【補正対象書類名】明細書
【補正対象項目名】００２３
【補正方法】変更
【補正の内容】
【００２３】
図２は、本発明の特定の実施形態による、電子装置を遠隔制御する方法のフロー図である。図２の開始ブロック２００に続き、ブロック２０１において制御対象装置が識別される。ブロック２０２において、制御対象電子装置に関連する制御面の外観の記述が取り出される。この記述は、例えば、リモコンハンドセット又は制御パネルの画像を定めるグラフィックファイルであってもよい。ブロック２０４において、取り出した記述に基づいて制御面の少なくとも一部のグラフィック表現が描画される。描画装置は、内部メモリ又は離れた場所からグラフィックファイルを取り出すことができる。例えば、このファイルを、インターネットを介して遠隔サーバから取り出すことができ、又はナビゲーション装置が短距離無線通信リンクを使用して制御対象装置から取り出すことができる。グラフィック表現は、例えば、ボタン、回転ノブ、又はスライダなどの数多くの制御要素を含むことができる。ブロック２０６において、電子装置から離れたナビゲーション装置を使用してグラフィック表現をナビゲートする。ブロック２０８において、表示された制御要素をナビゲーション装置を使用して選択し、ブロック２１０において、選択した制御要素に基づいて電子装置が動作する。判定ブロック２１２からの肯定分岐によって示すように、これ以上の動作が必要ない場合、ブロック２１４において方法は終了する。そうでない場合、判定ブロック２１２からの否定分岐によって示すように、フローはブロック２０６へ戻る。
【手続補正３】
【補正対象書類名】明細書
【補正対象項目名】００４０
【補正方法】変更
【補正の内容】
【００４０】
図７は、本発明の特定の実施形態によるナビゲーション装置の簡略ブロック図である。図７を参照すると、ナビゲーション装置１００が、プロセッサ７０２と、電源７０４と、メモリ７０６とを含む。プロセッサは、汎用プロセッサ、特定用途向け集積回路、又は、例えばフィールドプログラマブルゲートアレイ（ＦＰＧＡ）などの再構成可能プロセッサであってもよい。メモリを使用して、プロセッサのためのプログラム命令を記憶し、制御される側の装置へ送信できるコマンドを記憶することができる。プロセッサはタッチパッド１０６に結合され、このタッチパッド１０６は、タッチ及び位置センサ式制御装置７０８、及び任意にディスプレイ画面７１０を含む。無線インターフェイス７１２を使用して、制御対象装置との遠隔通信を実現する。インターフェイスは、例えば、無線周波数リンク又は赤外線リンクを使用することができる。無線インターフェイスはまた、近距離無線リンクを含むこともできる。ボタン又はその他の制御要素１０８もプロセッサに結合され、これらをタッチパッド１０６とは別に、又はタッチパッド１０６とともに使用することができる。